(57)【要約】【課題】既存の電気掃除機を利用して臭気の脱臭を行えるようにする。【解決手段】電気掃除機１の吸い込みノズル３を取り外し、吸引ホース２の吸い込み口９に接続口７を接続する。この状態で臭気発生源に空気吸い込み口８を近づけて電気掃除機１を運転すると、空気吸い込み口８から臭気が吸引され、脱臭材５を通過するため、臭気の脱臭を行うことができ、浄化された空気が排気される。【選択図】　図１
2004113598.tif 000002
【特許請求の範囲】
【請求項１】
一端が電気掃除機の吸い込みノズルを外した吸引ホースの吸い込み口に接続する接続口で、もう一端が空気吸い込み口である筒状の形態をなしたダクトと、前記ダクトの前記接続口と前記空気吸い込み口との間に脱臭材を配してなる電気掃除機用脱臭アダプタ。
【請求項２】
空気吸い込み口の開口は、接続口の開口よりも大きく構成した請求項１に記載の電気掃除機用脱臭アダプタ。
【請求項３】
脱臭材は、ハニカム体の形状をなす請求項１または２に記載の電気掃除機用脱臭アダプタ。
【請求項４】
ハニカム体のセル数は、１平方インチあたり５０以上３５０以下とした請求項３に記載の電気掃除機用脱臭アダプタ。
【請求項５】
接続口は、ポリプロピレン樹脂、もしくは硬質ゴム、もしくはビニルで成形された請求項１〜４のいずれか１項に記載の電気掃除機用脱臭アダプタ。
【請求項６】
接続口は、略円形で外径が２０〜５０ｍｍである請求項１〜５のいずれか１項に記載の電気掃除機用脱臭アダプタ。
【請求項７】
接続口は、略円形で外径が２０〜５０ｍｍの範囲で可変可能な請求項１〜５のいずれか１項に記載の電気掃除機用脱臭アダプタ。
【請求項８】
接続口は、略円形で開口部の外径が２０〜５０ｍｍで、かつ、空気吸い込み口に向かって一部もしくは全部が徐々に直径を増す形状をなす請求項１〜５のいずれか１項に記載の電気掃除機用脱臭アダプタ。
【請求項９】
脱臭材は、マンガン、銅、コバルト、亜鉛の少なくとも一種類を含む酸化物もしくは複合酸化物からなる請求項１〜８のいずれか１項に記載の電気掃除機用脱臭アダプタ。
【請求項１０】
脱臭材は、マンガン、銅、コバルト、亜鉛の少なくとも一種類を含む酸化物もしくは複合酸化物に加えて、ゼオライト、シリカ、アルミナの少なくとも一種類を含む、請求項１〜８のいずれか１項に記載の電気掃除機用脱臭アダプタ。
【請求項１１】
空気吸い込み口にフィルタを設けた請求項１〜１０のいずれか１項に記載の電気掃除機用脱臭アダプタ。
【請求項１２】
空気吸い込み口と脱臭材との間にフィルタを設けた請求項１〜１０のいずれか１項に記載の電気掃除機用脱臭アダプタ。
【請求項１３】
空気吸い込み口の一部が略平面の形状をなす請求項１〜１２のいずれか１項に記載の電気掃除機用脱臭アダプタ。
【請求項１４】
空気吸い込み口の近傍に保持具を設けた請求項１〜１３のいずれか１項に記載の電気掃除機用脱臭アダプタ。
【請求項１５】
空気吸い込み口の近傍におもりを備えた請求項１〜１４のいずれか１項に記載の電気掃除機用脱臭アダプタ。
【発明の詳細な説明】
【０００１】
【発明の属する技術分野】
本発明は、脱臭具について、特に電気掃除機に後付けし脱臭機能を付加するアダプタに関するものである。
【０００２】
【従来の技術】
日常生活において、臭気対策が必要な場合は意外に多く、室内等の比較的密閉された空間においては、芳香剤による臭気のマスキングや、据え置き型の小型消臭剤等が普及していることは臭気に対する関心の高さを現している。また、積極的に臭気除去を行う方法として、脱臭機、空気清浄機、エアコンの脱臭機能付加などが挙げられるが、これは空間内に広がった比較的低濃度の臭気を室内空気とともに吸排気循環し長時間かけて除去を行う方法である。臭気の除去に時間がかかるのは、一旦空間内に広がった臭気は回収に時間がかかるためで、当然、臭気の回収が終了するまでは人は臭いを感じ続けることになる。
【０００３】
一方、広い空間内に徐々に恒常的に発生する臭気とは別に、一時的に局所的に発生する臭気がある。例えば、病院や老人施設でのおむつ交換の時に発生する糞便臭や、寝たきりの人を介護する際のおむつ交換の時に発生する糞便臭、赤ちゃんのおむつ交換の時に発生する糞便臭、生ゴミ等を移し替えたりする時に発生するゴミ臭などは身近な例であるが、こう言った一時的に局所的に発生する高濃度の臭気も、一旦室内に広がってしまうと前述の通り回収に時間がかかってしまう。また、屋外で発生する臭気に対しては臭気が充分に拡散するのを待つ以外は有効な手段が無いのが現状である。
【０００４】
そこで、一時的に局所的に発生する高濃度の臭気は、空間内に広がる前に対策を行うことが有効であり、従来の局所発生臭気の脱臭装置及びそれに用いる脱臭部においては、電気掃除機に脱臭部を内蔵し、臭気が発生しているところに吸引ガイド部を近づけ、臭気が室内に広がる前に臭気を吸い込んで脱臭している（例えば特許文献１参照）。
【０００５】
【特許文献１】
特開２０００−２５４１５８号公報（第４−５頁、第１図）
【０００６】
【発明が解決しようとする課題】
しかしながら、前記従来の局所発生臭気の脱臭装置及びそれに用いる脱臭部では、脱臭部の搭載場所としては電気掃除機の本体内、特に、吸引したゴミを捕集するいわゆる紙パックが装着されていた場所に紙パックと交換する方法で搭載することが望ましいとされている。ところが、脱臭材を有する脱臭部を電気掃除機本体内に搭載するには、それぞれの電気掃除機の内部形状に合わせた形状の脱臭部が必要で、市販されている多種の電気掃除機に対応するには機種個別の脱臭部を設計、製作する必要があり、多品種少量生産となるとコスト高になることは避けることができないと言う課題を有していた。なお、電気掃除機の紙パックは電気掃除機メーカ純正の機種個別の紙パック以外に、各メーカ共通に汎用的に使うことができる紙パックが市販されているが、各メーカ共通式紙パックが様々な機種に対して汎用品として利用できるのは、紙パックの場合は、吸引された空気が紙パックに入る部分の接続部の形状のみ合わせておけば、パックの袋部分は吸引空気の作用で自在形状にふくらみ、電気掃除機の内部の形状に影響されないためである。
【０００７】
一方、脱臭部の場合は形状自在にすることは困難であり、仮に電気掃除機内部の形状に即した形状になったとしても、脱臭部と電気掃除機内壁との間に少しでも隙間があると、その隙間から臭気が通り抜けてしまうため、脱臭効果は格段に落ちることになり、当初の目的を達成することができなくなる。
【０００８】
また、脱臭部が電気掃除機内部に搭載されていること自体が、別な課題をもつことになる。つまり、吸引した臭気が脱臭部に到達して脱臭浄化されるまでの経路、すなわち電気掃除機のホースには臭気がそのまま通過することになり、このホース内壁面に臭気物質が吸着（付着）するという課題である。ホース内壁面に吸着した臭気物質は、臭気を吸引している間は吸引中の臭気濃度と平衡して吸着し続けるが、吸引している臭気の濃度が低下すると今度はホース内壁面に吸着した臭気物質がホース内壁面から離脱し、これが新たな臭気源となる。
【０００９】
特に、脱臭部を外して元の紙パックを装着し、通常の電気掃除機として利用する場合は、離脱した臭気物質が電気掃除機の排気口から排出され、電気掃除機自体が臭気をまき散らすことにもなりかねないと言う課題も有していた。
【００１０】
なお、上記従来の局所発生臭気の脱臭装置及びそれに用いる脱臭部では、臭気の吸い込み口となる吸引口は電気掃除機の吸い込みノズルをそのまま利用することになるので、臭気の吸引捕集に対して最適な形状でない上に、ブラシ等の臭気物質が吸着しやすい構成になっていると言う課題も有していた。特に、病院や老人施設でのおむつ交換の時や、寝たきりの人を介護する際のおむつ交換の時の臭気対策として利用する場合は、人に対して電気掃除機の吸い込みノズルを向けることになり、これは、おむつ交換される人の尊厳を傷つけるばかりでなく、使用者にとっても心苦しい負担を強いることになると言う課題も有していた。
【００１１】
本発明は、前記従来の課題を解決するもので、既存の電気掃除機を利用して臭気の脱臭を行えるようにするものである。
【００１２】
【課題を解決するための手段】
前記従来の課題を解決するために、本発明の電気掃除機用脱臭アダプタは脱臭材を内装したダクトを電気掃除機の吸い込みノズルと交換する方法で装着するようにしたものである。
【００１３】
上記発明によれば、臭気発生源にダクトを向けて電気掃除機を運転することにより、臭気がダクトの空気吸い込み口から吸引され、脱臭材を通過することによって脱臭浄化される。この時、電気掃除機のホースや本体内部には臭気物質は到達しないため、臭気物質の吸着を起こさずに電気掃除機を利用することができる。
【００１４】
【発明の実施の形態】
請求項１に記載の発明は、一端が電気掃除機の吸い込みノズルを外した吸引ホースの吸い込み口に接続する接続口で、もう一端が空気吸い込み口である筒状の形態をなしたダクトと、ダクトの接続口と空気吸い込み口との間に脱臭材を配したものであり、臭気発生源にダクトを向けて電気掃除機を運転することにより、臭気がダクトの空気吸い込み口から吸引され、脱臭材を通過することによって脱臭浄化される。
【００１５】
請求項２に記載の発明は、空気吸い込み口の開口を、接続口の開口よりも大きくしたものであり、臭気を吸い込む開口が大きいため、臭気が拡散するよりも早く臭気を吸引し、臭気を脱臭浄化することができる。
【００１６】
請求項３に記載の発明は、脱臭材をハニカム体の形状としたしたもので、脱臭材をハニカム体で構成することにより、圧力損失（空気の流れの抵抗）を軽減し、電気掃除機の吸引モータへの負担を軽減することができる。
【００１７】
請求項４に記載の発明は、脱臭材のハニカム体のセル数を１平方インチあたり５０以上３５０以下としたものであり、脱臭材のハニカム体のセル数を１平方インチあたり５０以上とすることにより、臭気の脱臭除去に必要な脱臭材表面積を確保し、脱臭材のハニカム体のセル数を１平方インチあたり３５０以下とすることにより、圧力損失を軽減し、電気掃除機の吸引モータへの負担を軽減することができる。
【００１８】
請求項５に記載の発明は、接続口を、ポリプロピレン樹脂、もしくは硬質ゴム、もしくはビニルで成形したものであり、接続口を、ポリプロピレン樹脂、もしくは硬質ゴム、もしくはビニルと言った弾力性のある材質で構成することにより、様々な電気掃除機の吸引ホースの吸い込み口に接続する際に、接続が容易で、また、キズを付けたりしないようにすることができる。
【００１９】
請求項６に記載の発明は、接続口を略円形で、外径を２０〜５０ｍｍとしたものであり、様々な電気掃除機の吸引ホースの吸い込み口に接続することができる。
【００２０】
請求項７に記載の発明は、接続口は略円形で、外径が２０〜５０ｍｍの範囲で可変可能にしたものであり、様々な電気掃除機の吸引ホースの吸い込み口に接続することができる。
【００２１】
請求項８に記載の発明は、接続口を略円形で、開口部の外径が２０〜５０ｍｍで、かつ、空気吸い込み口に向かって一部もしくは全部が徐々に直径を増す形状としたものであり、接続口の開口部が外径２０〜５０ｍｍの略円形で、かつ、空気吸い込み口に向かって一部もしくは全部が徐々に直径を増す形状であることにより、様々な電気掃除機の吸引ホースの吸い込み口に接続することができる。
【００２２】
請求項９に記載の発明は、脱臭材を、マンガン、銅、コバルト、亜鉛の少なくとも一種類を含む酸化物もしくは複合酸化物からなるようにしたものであり、糞便臭の大部分を占める硫化水素の除去に効果を発揮する。
【００２３】
請求項１０に記載の発明は、脱臭材を、マンガン、銅、コバルト、亜鉛の少なくとも一種類を含む酸化物もしくは複合酸化物に加えて、ゼオライト、シリカ、アルミナの少なくとも一種類を含むようにしたものであり、糞便臭に加え、尿臭の元であるアンモニア等の窒素系物質の臭気除去に対しても効果を発揮する。
【００２４】
請求項１１に記載の発明は、空気吸い込み口にフィルタを設けたものであり、空気吸い込み口にフィルタを設けることにより、埃等の異物、特に布団から大量に発生する埃を捕捉し、内方への異物の侵入を防止することができる。
【００２５】
請求項１２に記載の発明は、空気吸い込み口と脱臭材との間にフィルタを設けたものであり、脱臭材に対して上流にフィルタを設けることにより、埃等の異物、特に布団から大量に発生する埃を捕捉し、脱臭材の目詰まりによる性能低下を防止することができる。
【００２６】
請求項１３に記載の発明は、空気吸い込み口の一部を略平面の形状としたものであり、略平面の部分があるため、床や机、布団の上などの略平面の場所に置いても転がることなく据わりが良く、手で持たなくても空気吸い込み口を確実に臭気発生源に向け続けることができる。
【００２７】
請求項１４に記載の発明は、空気吸い込み口の近傍に保持具を設けたものであり、保持具により空気吸い込み口の方向を固定することができ、ホースの方向による復元力が働いても空気吸い込み口が動くことなく、手で持たなくても空気吸い込み口を確実に臭気発生源に向け続けることができる。
【００２８】
請求項１５に記載の発明は、空気吸い込み口の近傍におもりを備えたものであり、空気吸い込み口を臭気発生源に向けて置いた時に、おもりの作用により、ホースの方向による復元力が働いても空気吸い込み口が動くことなく、手で持たなくても確実に臭気発生源に向け続けることができる。
【００２９】
【実施例】
以下、本発明の実施例について図面を用いて説明する。
【００３０】
（実施例１）
図１は本発明の実施例１の電気掃除機用脱臭アダプタを示した斜視図である。
【００３１】
図１において、１は市販の電気掃除機で、通常は吸引ホース２の先端に吸い込みノズル３が装着されている。４は本発明の電気掃除機用脱臭アダプタで、脱臭材５を内装した筒状のダクト６で構成されており、ダクト６の一端は接続口７、もう一端は空気吸い込み口８となっている。
【００３２】
次に動作、作用について説明する。電気掃除機１の吸い込みノズル３を取り外し、吸引ホース２の吸い込み口９に接続口７を接続する。この状態で臭気発生源に空気吸い込み口８を近づけて電気掃除機１を運転すると、空気吸い込み口８から臭気が吸引され、脱臭材５を通過するため、臭気の脱臭を行うことができ、浄化された空気が排気される。
【００３３】
ここで、脱臭材５の設置場所は電気掃除機１の吸引ホース２内や本体内ではなく、臭気を吸い込む空気吸い込み口８近傍であるため、臭気物質がそれ以上奥には侵入せず、つまり電気掃除機１の吸引ホース２や本体内に臭気物質が吸着（付着）することがない。もし電気掃除機１の吸引ホース２内や本体内に臭気物質が吸着しておれば、再び吸い込みノズル３を装着して通常の電気掃除機として利用する際に、吸い込んだ空気は臭気濃度が低いため、吸着した臭気物質の離脱が起こり、臭気物質が排気されることになる。これは電気掃除機１が臭気をまき散らす臭気発生源になることを意味するが、本発明の電気掃除機用脱臭アダプタを用いると、上記の通り脱臭材５が臭気を吸い込む空気吸い込み口８近傍に設けられており、電気掃除機内に臭気物質が侵入できず臭気物質の吸着も起きないので、これらの問題は起こり得ない。
【００３４】
また、臭気吸引を行う場合としては、ゴミ箱やゴミ置き場のゴミに向けて吸引を行う場合や、トイレ、ペット等の動物、その他様々な臭気発生源に向けて吸引を行う場合以外に、人に向けて吸引を行う場合もあり得る。病院や老人施設でのおむつ交換の時や、寝たきりの人を介護する際のおむつ交換の時には人に向けて吸引を行わなければならないが、本発明の電気掃除機用脱臭アダプタは、電気掃除機１の吸い込みノズル３と交換する方法で装着するため、たとえ空気吸い込み口８を人に向けることがあっても、電気掃除機の吸い込みノズルを向けるのとは違って違和感を緩和でき、おむつ交換される人の尊厳を傷つけることもなく、また、使用者の心苦しい負担を軽減することもできる。
【００３５】
なお、一般に電気掃除機１の吸引ホース２はフレキシブルな蛇腹部とまっすぐ伸びた直管部からなっており、複数ヶ所で取り外しが可能となっている場合が多い。本実施例では直管部を残して電気掃除機用脱臭アダプタ４を装着するように図示したが、直管部を外して蛇腹部に電気掃除機用脱臭アダプタ４を装着すると、臭気発生源が狭い場所にあっても、空気吸い込み口８を近くまで持っていくことができる。また、ダクト６自体をフレキシブルな可撓性を持たせて構成しても同様に実施できる。ダクト６に可撓性を持たせる方法としては、蛇腹や可撓性材料で構成する方法があるが、ダクト６全体を可撓性を持たせた構成とする以外に、接続口７近傍を可撓性を持たせた構成しても良いし、空気吸い込み口８近傍を可撓性を持たせた構成しても良い。特に、脱臭材５近傍は固定形状とする方が、ダクト６と脱臭材５との気密を確保する上で有利である。
【００３６】
（実施例２）
図２は本発明の実施例２の電気掃除機用脱臭アダプタを示した斜視図である。
【００３７】
図２において、６は脱臭材５を内装したダクトで、一端が接続口７、もう一端が空気吸い込み口８となっている。
【００３８】
次に動作、作用について説明する。実施例１と同様、電気掃除機１の吸引ホース２に電気掃除機用脱臭アダプタ４装着し、電気掃除機１の運転により、空気吸い込み口８より臭気を吸引し脱臭浄化を行う。ここで、空気吸い込み口８は接続口７より大きく開口しているため、臭気を広く、効率よく吸引することができる。図において空気吸い込み口８は脱臭材５が装着されている部分と同じ断面積を持つ開口となっているが、空気吸い込み口８のみをさらに大きな開口としても同様に実施できる。
【００３９】
なお、大きく開口した空間に脱臭材５を設けると、大きな脱臭材を用いることができ、脱臭力を向上させることができると共に、空気が通る開口が大きいため、圧力損失（空気の流れの抵抗）が小さくなり、電気掃除機１の吸引モータへの負担を軽減することができる。同じ出力であれば風量の増加を行うことができ、また寿命を延ばすこともできる。また、開口が大きいと空気の流速が小さくなり、脱臭材の脱臭力を向上させることもできる。また、脱臭材５は一般に用いられている様な粒状のものでも良いが、図に示すようなハニカム形状の物を用いると、同じ脱臭性能を持ちながら圧力損失を大幅に軽減することができる点で好ましい。ここでハニカム形状でのセル数（目の細かさ）は１平方インチあたり５０以上であれば、臭気の脱臭除去に必要な脱臭材表面積を確保することができ、また、１平方インチあたり３５０以下とすることにより、電気掃除機の吸引モータへの負担の少ない圧力損失に抑えることができる。
【００４０】
なお、電気掃除機１の吸引ホース２との接続部である接続口７はポリプロピレン樹脂や硬質ゴム、ビニル等といった弾力性のある材料で成形すると、様々な電気掃除機１の吸引ホース２の吸い込み口に接続する際に、接続が容易で、キズを付けたりしないようにすることができる点で好ましい。また、市販の電気掃除機の吸引ホースの吸い込み口は内径３５ｍｍ程度の円形をした物が全体の８０％を占め、一部２０ｍｍ近くの小型のものや、５０ｍｍ近くの大型の物も存在する。よって、接続口７の形状としては、略円形で外径が２０〜５０ｍｍ、望ましくは３５ｍｍ前後である３０〜４０ｍｍとするとほとんどの電気掃除機に接続可能である。なお、接続口７の外径を２０〜５０ｍｍの間で任意に変更できるようにしておくと確実であるし、外径が２０から５０ｍｍへと空気吸い込み口に向かって一部もしくは全部が徐々に直径を増すテーパ形状とすると、差し込む際にどこかでフィットするため、確実に接続することができる。ここで２０〜５０ｍｍのテーパは傾斜が大きすぎるようであれば３０〜４０ｍｍのテーパ形状としてもほとんどの電気掃除機に接続可能である。
【００４１】
一方、脱臭材５については、通常用いられる活性炭等の吸着剤でも良いが、マンガン、銅、コバルト、亜鉛の少なくとも一種類を含む酸化物もしくは複合酸化物を用いると、糞便臭の大部分を占める硫化水素の除去に大きな効果を発揮する点で好ましい。特にマンガン、銅、コバルトの複合酸化物は非常に高効率の硫化水素吸着が可能で寿命も非常に長い点で良い。脱臭除去の目安としては、吸い込んだ臭気の９９％を除去するとほとんど臭いは感じなくなり、９９．９％を除去すると無臭レベルになる。特に、糞便臭は硫化水素を除去すると人間には糞便の臭いは感じなくなるので、糞便臭対策であればまずは硫化水素の除去を第一に行うと良い。また、脱臭材にゼオライト、シリカ、アルミナの少なくとも一種類を加えると、糞便臭に加え、尿臭の元であるアンモニア等の窒素系物質の臭気除去に対しても大きな効果を発揮する点で好ましい。
【００４２】
（実施例３）
図３は本発明の実施例３の電気掃除機用脱臭アダプタを示した斜視図である。
【００４３】
図３（ａ）において、６は脱臭材５を内装したダクトで、一端が接続口７、もう一端が空気吸い込み口８となっており、１０はフィルタである。
【００４４】
次に動作、作用について説明する。電気掃除機用脱臭アダプタの使い方は実施例１および２と同様であるため説明は省略する。ここでフィルタ１０を図３（ｂ）に示すように空気吸い込み口８もしくは図３（ｃ）空気吸い込み口８と脱臭材５との間に設けると、フィルタ１０が脱臭材５に対して上流にあるため、埃等の異物がフィルタ１０に捕捉され、脱臭材５に異物が詰まって目詰まりを起こしたり、脱臭力が低下したりすると言った問題が生じない。特に、トイレでのトイレットペーパの紙埃や、病室、介護室、寝室等での布団の綿埃は非常に多量に発生するため、フィルタ１０は不可欠である。ここでフィルタ１０は着脱容易に構成し、手軽に手入れできるようにすることが好ましい。例えば樹脂で構成して水洗いやブラシ洗いを可能としても良いし、紙や繊維質等の安価な材料で構成してディスポーザブルとしても良い。なお、フィルタ１０のメッシュ（目の細かさ）であるが、一般には１平方インチあたり５００〜６００メッシュであれば埃を捕捉できるが、使用環境に応じて、もっと粗くして圧力損失を減らしても良いし、逆に小さな異物が発生しやすい環境ではもっと細かいメッシュを用いても良い。
【００４５】
（実施例４）
図４は本発明の実施例４の電気掃除機用脱臭アダプタを示した斜視図である。
【００４６】
図４において、６は脱臭材５を内装したダクトで、一端が接続口７、もう一端が空気吸い込み口８となっている。
【００４７】
次に動作、作用について説明する。電気掃除機用脱臭アダプタの使い方は実施例１および２と同様であるため説明は省略する。ここで、空気吸い込み口８の少なくとも一部が略平面形状１１で構成されていると、床や机、布団の上などの略平面の場所に置いても転がることなく据わりが良く、手で持たなくても空気吸い込み口８を確実に臭気発生源に向け続けることができる。特にゴミの移し替えやおむつ交換の際には両手が自由に使えるので非常に作業がし易くなる。ここで、図４（ａ）では空気吸い込み口８の一面のみ略平面としているが、図４（ｂ）のように複数の面もしくは全面を略平面で構成しても同様に実施できる。
【００４８】
なお、空気吸い込み口８の近傍におもり１２を備えるとさらに安定度が高まり、特に、電気掃除機の吸引ホースの方向による復元力が働いても空気吸い込み口８が動くことなく、手で持たなくても確実に臭気発生源に向け続けることができる。
【００４９】
さらには、空気吸い込み口８の近傍に保持具１３を備え、保持具により、動かない物に固定すると確実に臭気発生源に向け続けることができる。保持具１３としては、紐であると安価であるし、フックであると扱いが容易であり、クリップであると多くの物に固定可能である。また、病院等のベッドは鉄パイプで構成されていることが多いので、磁石を用いても手軽である点で好ましい。一方、電気掃除機用脱臭アダプタの固定場所が決まっている場合は、保持具１３として、相手方に受け部を設けた１対のソケットを用いても良いし、ソケットではなく自在着脱テープ（通称マジックテープ（Ｒ））を用いても手軽である。なお、相手方の受け部は複数ヶ所に用意しても良く、特に１ヶ所は電気掃除機１本体上に用意しておくと、電気掃除機１と脱臭部とを一体的に移動、設置することができ、何かと便利である。
【００５０】
【発明の効果】
以上のように、本電気掃除機用脱臭アダプタによると、脱臭材を内装したダクトを電気掃除機の吸い込みノズルと交換する方法で装着することにより、臭気発生源にダクトを向けて電気掃除機を運転すると、臭気がダクトに吸引され、脱臭材を通過することによって臭気が脱臭浄化される。
【図面の簡単な説明】
【図１】本発明の実施例１の電気掃除機用脱臭アダプタの斜視図
【図２】本発明の実施例２の電気掃除機用脱臭アダプタの斜視図
【図３】（ａ）本発明の実施例３の電気掃除機用脱臭アダプタの斜視図
（ｂ）本発明の実施例３の電気掃除機用脱臭アダプタにおけるフィルターの取り付け状態を示す斜視図
（ｃ）本発明の実施例３の電気掃除機用脱臭アダプタにおけるフィルターの取り付け状態を示す斜視図
【図４】（ａ）本発明の実施例４の電気掃除機用脱臭アダプタの斜視図
（ｂ）本発明の実施例４の電気掃除機用脱臭アダプタの斜視図
【符号の説明】
５　脱臭材
６　ダクト
７　接続口
８　空気吸い込み口
１０　フィルタ
１２　おもり
１３　保持具
【図１】
2004113598.tif 000003
【図２】
2004113598.tif 000004
【図３】
2004113598.tif 000005
【図４】
2004113598.tif 000006